(57)【要約】 【課題】  複数のパネル同士を、簡単かつ強固に、しかも体裁よく連結することができるようにしたパネル連結構造を提供する。【解決手段】  ２枚の間仕切パネルＡ、Ｂの互いに隣接する各側端面に、頸部１２の先端に拡幅頭部１３を有する係合片８を突設し、互いに所要の角度をなす２つの当接面９ａ、９ｂ、を有する上下１対の連結片９、１０における対向面に、各当接面に開口し、かつ係合片８が嵌合しうる係合凹部１８を設け、上下の連結片９、１０を、その各当接面を２枚の間仕切パネルＡ、Ｂの互いに隣接する各側端面に当接させ、かつ各係合凹部１８に係合片８を嵌合し、係合片８を上下から挟んで、互いに重合して、締着手段１１により締着する。【選択図】        図２
2006138180.tif 000002
【特許請求の範囲】
【請求項１】
２枚のパネルの側端部同士を、両パネルが平面視において所要の角度をなすように連結するパネル連結構造において、
２枚のパネルの互いに隣接する各側端面に、頸部の先端に拡幅頭部を有する係合片を突設し、互いに所要の角度をなす２つの当接面を有する上下１対の連結片における対向面のいずれか一方または両方に、前記各当接面に開口し、かつ前記係合片における頸部が嵌合しうる狭幅部と、この狭幅部に連続し、かつ前記拡幅頭部が嵌合しうる拡幅部とからなる係合凹部を設け、上下の連結片を、その各当接面を２枚のパネルの互いに隣接する各側端面に当接させ、かつ前記各係合凹部に前記係合片を嵌合し、前記係合片を上下から挟んで、互いに重合して、締着手段により締着したことを特徴とするパネル連結構造。
【請求項２】
係合片を、各パネルの側端面に着脱自在に設けたことを特徴とする請求項１記載のパネル連結構造。
【請求項３】
各パネルの側端面に、上下方向を向くあり溝を設け、このあり溝内に側方に抜け出し不能として嵌合した板ナットと係合片とを、締着手段により締着して、係合片を各パネルの側端面に取り付けたことを特徴とする請求項１または２記載のパネル連結構造。
【請求項４】
上方の連結片の平面形を、下方の連結片より大として、上方の連結片により、下方の連結片の上方を庇状に覆ったことを特徴とする請求項１〜３のいずれかに記載のパネル連結構造。
【発明の詳細な説明】
【技術分野】
【０００１】
本発明は、複数のパネル同士を、所要の角度をもって互いに連結するパネル連結構造に関する。
【背景技術】
【０００２】
従来のこの種のものとしては、複数に分岐した連結金具の連結腕を、パネルの内側から引き締めるようにしたもの(例えば特許文献１参照)や、複数のパネルの側端面に、連結金具の各辺を、パネルの内側からねじ止めするようにしたもの(例えば特許文献２または３参照)等がある。
【特許文献１】特許第２８０２９７９号公報
【特許文献２】特開２０００−１６０７３４号公報
【特許文献３】特開平１１−２９３８２２号公報
【発明の開示】
【発明が解決しようとする課題】
【０００３】
しかし、上述のような従来のものは、いずれも連結時や分離時に、各パネルの表面パネルをフレームから外さなければならず、それらの作業が繁雑になるとともに、連結金具が外部に露呈しないようにカバーを設けなければならず、構造が複雑化し、コストが増大する等の問題がある。
また、複数のパネルの側端面に、連結金具の各辺を、パネルの外側からねじ止めすると簡単であるが、この場合は、２枚のパネルを平面視において鈍角をなすように連結しようとすると、両パネルの側端面同士が鋭角をなし、一方のパネルの側端面への連結金具のねじ止め作業が他方のパネルの側縁により妨げられて、ねじ止めが不能となる。またねじ頭が外部に露呈して体裁が悪い。
【０００４】
本発明は、従来の技術が有する上記のような問題点に鑑み、表面パネルをフレームから外すことなく、複数のパネル同士を、簡単かつ強固に、しかも体裁よく連結することができるとともに、パネル同士を平面視において鈍角をなすように連結することもできるようにしたパネル連結構造を提供することを目的としている。
【課題を解決するための手段】
【０００５】
本発明によると、上記課題は次のようにして解決される。
(１)  ２枚のパネルの側端部同士を、両パネルが平面視において所要の角度をなすように連結するパネル連結構造において、２枚のパネルの互いに隣接する各側端面に、頸部の先端に拡幅頭部を有する係合片を突設し、互いに所要の角度をなす２つの当接面を有する上下１対の連結片における対向面のいずれか一方または両方に、前記各当接面に開口し、かつ前記係合片における頸部が嵌合しうる狭幅部と、この狭幅部に連続し、かつ前記拡幅頭部が嵌合しうる拡幅部とからなる係合凹部を設け、上下の連結片を、その各当接面を２枚のパネルの互いに隣接する各側端面に当接させ、かつ前記各係合凹部に前記係合片を嵌合し、前記係合片を上下から挟んで、互いに重合して、締着手段により締着する。
【０００６】
(２)  上記(１)項において、係合片を、各パネルの側端面に着脱自在に設ける。
【０００７】
(３)  上記(１)または(２)項において、各パネルの側端面に、上下方向を向くあり溝を設け、このあり溝内に側方に抜け出し不能として嵌合した板ナットと係合片とを、締着手段により締着して、係合片を各パネルの側端面に取り付ける。
【０００８】
(４)  上記(１)〜(３)項のいずれかにおいて、上方の連結片の平面形を、下方の連結片より大として、上方の連結片により、下方の連結片の上方を庇状に覆う。
【発明の効果】
【０００９】
本発明によると、次のような効果を奏することができる。
(１)  請求項１記載の発明によると、各パネルの互いに隣接する各側端面に突設した係合片を、上下の連結片の対向面に設けた係合凹部に嵌合して、両連結片により上下から挟み、かつ両連結片を、その当接面を各パネルの側端面に当接させて、締着手段により互いに締着することによって、複数のパネル同士を、それらの表面パネルをフレームから外すことなく、簡単かつ強固に、しかも体裁よく連結することができる。
また、複数のパネルの連結時に、各パネルの側端面と直交する方向にねじ等を挿通させる必要がないので、パネル同士を平面視において鈍角をなすように連結することもできる。
【００１０】
(２)  請求項２記載の発明によると、係合片を、各パネルの側端面に着脱自在に設けたので、これを外すことにより、他のパネルと連結しない場合におけるパネル側端面の体裁をよくすることができるとともに、パネル同士を連結する場合には、他の連結手段によりパネル同士を連結することもできる。また、運搬時に係合片が他物と衝突することがなく、安全に運搬することができる。
【００１１】
(３)  請求項３記載の発明によると、係合片を、パネルの側端面の任意の高さに簡単に装着することができるとともに、装着位置を簡単に変更することもできる。
【００１２】
(４)  請求項４記載の発明によると、上方の連結片を、下方の連結片を覆うカバーとして用いることができ、外観の向上を図ることができる。
【発明を実施するための最良の形態】
【００１３】
本発明の実施形態を、添付図面を参照して説明する。
図１は、本発明の第１の実施形態により、２枚の間仕切パネルを平面視において鈍角をなすように連結した状態を示す斜視図、図２〜図５は、その各部の詳細を示す図である。
【００１４】
図１に示すように、この例では、２枚の間仕切パネル(Ａ)(Ｂ)を平面視において鈍角をなすように連結してある。
各間仕切パネル(Ａ)(Ｂ)は、この例では、ガラスパネル(１)の四辺を、両側部の縦杆(２)(２)と、それらの上端部同士および下端部同士を連結する上下部の横杆(３)(３)とからなるフレーム(４)により囲んで覆ったものにより形成されているが、単なる無垢の板材、またはスチール製のパネル等により形成することもできる。
【００１５】
図２および図３に示すように、各縦杆(２)の外側端面の中央には、開口部(5a)の奥部に、開口部(5a)より幅を大とした拡幅部(5b)が連設された上下方向を向くあり溝(５)が、ほぼ全長に亘って形成されている。あり溝(５)の上下の端部は、縦杆(２)の上下の端面に着脱可能として設けられた閉塞板(６)(下方のものは図示略)により閉塞されている。
また、下方の横杆(３)の両側部下面には、高さ調節用のアジャスタを兼ねる左右１対の脚(７)(７)が設けられている。
【００１６】
図１に示すように、２枚の間仕切パネル(Ａ)(Ｂ)は、互いに隣接する側端の上部同士と下部同士が、本発明のパネル連結構造により連結されている。この上下のパネル連結構造は互いに同一構造であるので、以下上部のものについてのみ詳細に説明し、下部のものは説明を省略する。
このパネル連結構造は、２枚の間仕切パネル(Ａ)(Ｂ)の互いに隣接する各側端面に突設した係合片(８)と、両係合片(８)を上下から挟む上下１対の連結片(９)(10)と、上下の連結片(９)(10)を互いに重ね合わせた状態で締着する締着手段(11)とを備えている。
【００１７】
係合片(８)は、各間仕切パネル(Ａ)(Ｂ)の側端面より角軸状をなして突出する短寸の頸部(12)と、その先端に両側方に突出するように連設された拡幅頭部(13)とからなり、拡幅頭部(13)の先端面の中央には皿孔(14)が穿設されている。
この係合片(８)は、この例では、各間仕切パネル(Ａ)(Ｂ)におけるあり溝(５)の拡幅部(5b)に、開口部(5a)の方向に抜け出し不能として嵌合した板ナット(15)の中央に設けられたねじ孔(16)に、係合片(８)の皿孔(14)に挿通させた締着手段である皿ねじ(17)を螺合して締め付けることにより、各間仕切パネル(Ａ)(Ｂ)における側端面に、上下位置調節可能として取り付けられている。
【００１８】
板ナット(15)の幅は、あり溝(５)の開口部(5a)の開口幅より小とし、長さは、拡幅部(5b)の幅とほぼ同一とし、かつ１対の対角部を、あり溝(５)の拡幅部(5b)の半幅より小さい半径の曲率で円弧状に面取りするのが望ましい。このようにすると、係合片(８)の皿孔(14)に挿通した皿ねじ(17)に板ナット(15)のねじ孔(16)を緩めに螺合した状態で、板ナット(15)を、その長軸が上下方向を向くようにして、あり溝(５)の開口部(5a)に側方より嵌合し、その後皿ねじ(17)を回すことにより、板ナット(15)が共回りし、板ナット(15)の両端があり溝(５)の拡幅部(5b)の内面に当接した後は、板ナット(15)は係合片(８)に締め付けられるようになるので、取り付け作業性が向上する。
【００１９】
上下の連結片(９)(10)は、互いに所要の角度、この例では６０°をなす２つの当接面(９a)(９b)(10a)(10b)を有する平面視二等辺三角形をなし、それらの上下の対向面には、各当接面(９a)(９b)(10a)(10b)に開口し、かつ係合片(８)における頸部(12)が嵌合しうる狭幅部(18a)と、この狭幅部(18a)に連続し、かつ拡幅頭部(13)が嵌合しうる拡幅部(18b)とからなる係合凹部(18)がそれぞれ設けられている。
【００２０】
上方の連結片(９)の上面ほぼ中央には、段付き孔(19)が、またそれに対応する下方の連結片(10)の上面ほぼ中央には、ねじ孔(20)が、それぞれ設けられ、上下の連結片(９)(10)を互いに重合した状態で、締着手段(11)である六角孔付ボルト(21)を、段付き孔(19)に通して、ねじ孔(20)に螺合することにより、上下の連結片(９)(10)を互いに締着しうるようになっている。
上方の連結片(９)の平面形は、下方の連結片(10)より若干大としてある。
【００２１】
次に、図５を参照して、２枚の間仕切パネル(Ａ)(Ｂ)の連結要領について説明する。
まず、図５(ａ)に示すように、各間仕切パネル(Ａ)(Ｂ)の側端面の上下部に、係合片(８)を、上述したように、皿ねじ(17)と板ナット(15)を用いて取り付ける。
【００２２】
次に、図５(ｂ)に示すように、各間仕切パネル(Ａ)(Ｂ)を、平面視において所要の角度をなすようにして、その側端面同士を互いに近接させた後、図５(ｃ)に示すように、下方の連結片(10)を、その両当接面(10a)(10b)が、各間仕切パネル(Ａ)(Ｂ)の互いに隣接する側端面に密接するようにして、上方にスライドされることにより、その各係合凹部(18)を、各間仕切パネル(Ａ)(Ｂ)の側端面に突設された係合片(８)に下方から嵌合させる。
【００２３】
次いで、その上方から、上方の連結片(９)を、その両当接面(9a)(9b)が、各間仕切パネル(Ａ)(Ｂ)の互いに隣接する側端面に密接するようにして、下方にスライドされることにより、その各係合凹部(18)を、各間仕切パネル(Ａ)(Ｂ)の側端面に突設された係合片(８)に上方から嵌合させる。
【００２４】
その後、上下の連結片(９)(10)を重合させた状態で、六角孔付ボルト(21)を、段付き孔(19)に通して、ねじ孔(20)に螺合することにより、上下の連結片(９)(10)を互いに締着する。
間仕切パネル(Ａ)(Ｂ)の下端部同士の連結も、上記と同様の要領で行う。
【００２５】
このような要領で連結作業を行うことにより、両間仕切パネル(Ａ)(Ｂ)は、縦杆(２)をガラスパネル(１)から外したり、フレームの両側面に表面パネルを装着するタイプのものは、その表面パネルをフレームから外すことなく、簡単かつ強固に、しかも体裁よく連結することができる。
また、両間仕切パネル(Ａ)(Ｂ)の連結時に、それらの側端面と直交する方向にねじ等を挿通させる必要がないので、両間仕切パネル(Ａ)(Ｂ)同士を、上述のように平面視において鈍角をなすように連結することができる。
【００２６】
さらに、上方の連結片(９)の平面形を、下方の連結片(10)より若干大としたので、上方の連結片(９)で下方の連結片(10)の上方を庇状に覆うことができ、体裁がよい。
【００２７】
図６は、本発明の第２の実施形態を示す。
この例では、平面視正方形とした上下の連結片(31)(下方のものは図示略)の３辺を当接面(31a)(31b)(31c)とするとともに、それらの対向面の各辺に、上記と同様の狭幅部(18a)と拡幅部(18b)とを有する係合凹部(18)をそれぞれ設け、各係合凹部(18)に、３枚の間仕切パネル(Ａ)(Ｂ)(Ｃ)の各側端面に取り付けた係合片(８)をそれぞれ嵌合させて、上下の連結片(31)で挾み、両連結片(31)を、締着手段(11)により上下から締着することにより、３枚の間仕切パネル(Ａ)(Ｂ)(Ｃ)を、平面視Ｔ字状に連結してある。
【００２８】
この他にも、上述の連結片(９)(10)における両当接面(９a)(９b)(10a)(10b)間の角度を変更することにより、複数の間仕切パネル(Ａ)(Ｂ)を、平面視において鋭角から鈍角まで、広い交差角度で簡単に連結することができる。
【００２９】
なお、係合凹部(18)は、連結片(９)(10)の対向面の両方に設けるのが望ましいが、その片方のみに設けて実施することもできる。
【図面の簡単な説明】
【００３０】
【図１】本発明の第１の実施形態を用いて、２枚の間仕切パネルを、平面視において鈍角をなすように連結した状態を示す斜視図である。
【図２】同じく、要部の分解斜視図である。
【図３】同じく、要部の横断平面図である。
【図４】同じく、図３のIV−IV線に沿う縦断面図である。
【図５】同じく、連結作業要領を示す説明図である。
【図６】本発明の第２の実施形態を用いて、３枚の間仕切パネルを、平面視においてＴ字状を図３と同様の横断平面図である。
【符号の説明】
【００３１】
(Ａ)(Ｂ)(Ｃ)間仕切パネル(パネル)
(１)ガラスパネル
(２)縦杆
(３)横杆
(４)フレーム
(５)あり溝
(5a)開口部
(5b)拡幅部
(６)閉塞板
(７)脚
(８)係合片
(９)(10)連結片
(９a)(９b)(10a)(10b)当接面
(11)締着手段
(12)頸部
(13)拡幅頭部
(14)皿孔
(15)板ナット
(16)ねじ孔
(17)皿ねじ(締着手段)
(18)係合凹部
(18a)狭幅部
(18b)拡幅部
(19)段付孔
(20)ねじ孔
(21)六角孔付ボルト
(31)連結片
【図１】
2006138180.tif 000003
【図２】
2006138180.tif 000004
【図３】
2006138180.tif 000005
【図４】
2006138180.tif 000006
【図５】
2006138180.tif 000007
【図６】
2006138180.tif 000008